(57)【特許請求の範囲】
【請求項１】
厚紙を山折り線に沿って折り曲げて組み立てることにより多角筒状に形成され、内部に梱包物を収納する梱包材であって、
前記山折り線を境にして複数の平面部が互いに隣接して形成され、該平面部のうちの一端側の平面部に前記山折り線の方向に沿って形成される開口部と、該開口部の前記一端側の辺部の前記山折り線の形成方向両端部付近にそれぞれ形成される係止突部と、前記開口部の中央を閉塞するように前記開口部の前記山折り線側の辺部から前記一端側に向かって突設される押え片と、前記平面部のうちの他端側の平面部に前記山折り線を境に隣接して形成されて組み立て時に前記一端側の平面部と重合可能な重合片と、該重合片の前記開口部に対応する位置に形成される内側に折曲可能な押し片と、前記各係止突部より前記山折り線の形成方向外側に突出するように前記押し片の両端部にそれぞれ突設される突片と、
を備え、
組み立て時に、前記重合片を前記平面部に重ねた状態で前記押し片を前記開口部上に位置させ、前記押し片を前記開口部の内側に押し込むと、前記突片がそれぞれ前記係止突部に係止すると共に前記押え片が前記押し片の外面に当接することにより、多角筒状に折り曲げられた状態が保持されるように構成されていることを特徴とする梱包材。
【請求項２】
前記押し片には指掛け孔が設けられていることを特徴とする請求項１に記載の梱包材。
【請求項３】
前記指掛け孔は前記押し片を折曲げる折曲げ線に隣接して形成され、前記開口部の前記指掛け孔に対向する位置の縁部には指逃げ孔が形成されていることを特徴とする請求項２に記載の梱包材。
【発明の詳細な説明】
【技術分野】
【０００１】
本発明は、厚紙を山折り線に沿って折り曲げて組み立てることにより多角筒状に形成される、内部に梱包物を収納する梱包材に関する。
【背景技術】
【０００２】
一般に、画像形成装置のトナーカートリッジや定着装置のＩＨユニット等の製品の梱包材として段ボール等の厚紙製の梱包材が使用されている。
【０００３】
この種の従来の梱包材として、アウターフラップ（上蓋）とインナーフラップ（下蓋）とが開口部分で重ねられるように構成された段ボール箱が知られている。この段ボール箱は、アウターフラップの先端に形成される突出部と、該突出部が挿入可能なようにインナーフラップに形成される長孔と、該長孔の中程より下方に形成されて下側が支点となる第１の切り起こしと、該第１の切り起こしに形成されて上側が支点となる第２の切り起こしと、前記突出部に形成された該第２の切り起こしが嵌入可能な嵌合孔と、を備えて構成されている。そして、前記突出部を長孔に挿入後、前記第２の切り起こしの下部を箱の内側に押し込むことにより、梱包状態が保持されるようになっている（例えば、特許文献１参照）。
【先行技術文献】
【特許文献】
【０００４】
【特許文献１】特開平８−７２８６７号公報
【発明の概要】
【発明が解決しようとする課題】
【０００５】
しかしながら、上記した従来の段ボール箱では、梱包状態を保持する作業を行うに当たって、突出部を折り曲げ、長孔に挿入し、第２の切り起こしを嵌合孔に嵌入するという、３ステップの動作が必要であるため、作業性が悪いという問題がある。また、梱包作業の工数が多いため、梱包作業の機械化を図ることができないという問題もある。
【０００６】
本発明は上記した課題を解決すべくなされたものであり、１ステップの動作で梱包状態を保持することができ、梱包作業の機械化を図ることのできる梱包材を提供することを目的とする。
【課題を解決するための手段】
【０００７】
上記した目的を達成するため、本発明は、厚紙を山折り線に沿って折り曲げて組み立てることにより多角筒状に形成され、内部に梱包物を収納する梱包材であって、前記山折り線を境にして複数の平面部が互いに隣接して形成され、該平面部のうちの一端側の平面部に形成される開口部と、該開口部の前記山折り線の形成方向両端部にそれぞれ形成される切欠部と、前記開口部の中央を閉塞するように前記一端側に向かって突設される押え片と、前記平面部のうちの他端側の平面部に前記山折り線を境に隣接して形成されて組み立て時に前記一端側の平面部と重合可能な重合片と、該重合片の前記開口部に対応する位置に形成される内側に折曲可能な押し片と、前記各切欠部より前記山折り線の形成方向外側に突出するように前記押し片の両端部にそれぞれ突設される突片と、を備え、組み立て時に前記押し片を前記開口部の内側に押し込むと、前記突片がそれぞれ前記切欠部の外周部に係止すると共に前記押え片が前記押し片の外面に当接することにより、多角筒状に折り曲げられた状態が保持されるように構成されていることを特徴とする。
【０００８】
また、前記押し片には指掛け孔が設けられているのが好ましい。
【０００９】
また、前記指掛け孔は前記押し片を折曲げる折曲げ線に隣接して形成され、前記開口部の前記指掛け孔に対向する位置の縁部には指逃げ孔が形成されているのが好ましい。
【発明の効果】
【００１０】
本発明によれば、１ステップの作業で、梱包状態を保持することができるため、作業性の向上を図ることができ、梱包作業の機械化を図ることができる等、種々の優れた効果を得ることができる。
【図面の簡単な説明】
【００１１】
【図１】本発明の実施形態に係る梱包材を展開した状態を示す展開図である。
【図２】本発明の実施形態に係る梱包材を組み立てた状態を示す斜視図である。
【発明を実施するための形態】
【００１２】
以下、図面を参照しつつ、本発明の実施の形態について説明する。ここで、図１は本発明の実施形態に係る梱包材を展開した状態を示す展開図、図２は本発明の実施形態に係る梱包材を組み立てた状態を示す斜視図である。なお、以下の説明において、上下左右の向きは、便宜上、図１における向きを基準として説明する。
【００１３】
本発明の実施の形態に係る梱包材は、例えば段ボール製の厚紙１を筒状に折り曲げて組み立てることにより、その内部に梱包物（図示省略）を収納可能なように構成されている。なお、本発明の実施の形態では、前記梱包物が、トナーカートリッジのように、横長形状を成すと共に上面側に長手方向に沿って凹部が形成されている場合について例示して説明する。
【００１４】
図１に示すように、厚紙１は、上辺２、下辺３、左辺４、及び右辺５により外周を囲まれた略長方形状を成しており、上方から順に、上辺２及び下辺３に平行な３本の第１〜第３山折り線６，７，８が左辺４と右辺５との間に渡って形成されることにより、大きく第１〜第４横長平面部９，１０，１１，１２の４つの部分に分けられている。
【００１５】
第１山折り線６の中央側には、第１横長平面部９の下辺部から第２横長平面部１０に掛けて、２個の中央側張り出し片部１３ａ，１３ｂが左右並列に形成されており、各中央側張り出し片部１３ａ，１３ｂは、それぞれ、第１山折り線６に対して直角に交差すると共に互いに対向するように形成される左右一対の切り込み縦線１４ａ，１４ｂと、左右一対の切り込み縦線１４ａ，１４ｂの上端部同士を結ぶように形成される切り込み横線１４ｃと、によりＵ字形状を成している。
【００１６】
第１山折り線６の左右両側には、第２横長平面部１０の上辺部から第１横長平面部９に掛けて、それぞれ、両端側張り出し片部１５ａ，１５ｂが形成されており、各両端側張り出し片部１５ａ，１５ｂは、第１山折り線６に対して直角に交差すると共に互いに対向するように形成される左右一対の切り込み縦線１６ａ，１６ｂと、左右一対の切り込み縦線１６ａ，１６ｂの上端部同士を結ぶように形成される切り込み横線１６ｃと、によりＵ字形状を成している。
【００１７】
また、第２山折り線７の中央側には、第３横長平面部１１の上辺部から第２横長平面部１０に掛けて、第１山折り線６の中央側張り出し片部１３ａ、１３ｂにほぼ対応する位置に、２個の中央側張り出し片部１７ａ，１７ｂが左右に並列に形成されており、各中央側張り出し片部１７ａ，１７ｂは、第１山折り線６に形成された中央側張り出し片部１３ａ，１３ｂと反対向きに形成されている。
【００１８】
さらに、第３山折り線８の左右両側には、第３横長平面部１１の下辺部から第４横長平面部１２に掛けて、第１山折り線６の両端側張り出し片部１５ａ，１５ｂにほぼ対応する位置に、それぞれ、両端側張り出し片部１８ａ，１８ｂが形成されており、各両端側張り出し片部１８ａ，１８ｂは、第１山折り線６に形成された両端側張り出し片部１５ａ，１５ｂと反対向きに形成されている。
【００１９】
第１〜第４横長平面部９，１０，１１，１２のうちの最も上端側の第１横長平面部９の中央には、前記梱包物の上面側に形成された凹部に対応するように、横長の開口部１９が上辺２に平行に形成されている。この開口部１９は、扁平な矩形状の横長孔２０と、横長孔２０の左右両側にそれぞれ形成される半円形状の切欠部２１ａ，２１ｂと、横長孔２０の上辺部の左右対称な位置にそれぞれ形成される半円形状の指逃げ孔２２ａ，２２ｂと、を備えて構成されている。左右の切欠部２１ａ，２１ｂの直径は横長孔２０の高さより短く、これにより、切欠部２１ａ，２１ｂの上部にそれぞれが形成されるようになっている。
【００２０】
開口部１９の横長孔２０の下辺部中央からは、上方に向かって押え片２４が突設されており、この押え片２４により開口部１９の中央の一部分が閉塞されるようになっている。
【００２１】
第１横長平面部９の左端側には、左向きの矢印形状の切欠孔２５が形成されており、この切欠孔２５は内部に収納される梱包材の収納向きを示すために設けられている。
【００２２】
第２横長平面部１０及び第３横長平面部１１の左端部には、第２山折り線７を跨ぐように第１係止部２６が形成されている。第１係止部２６には、第２横長平面部１０の左端から第１山折り線６及び第２山折り線７に平行に形成される上側山折り可能線２７と、第３横長平面部１１の左端から第２山折り線７及び第３山折り線８に平行に形成される下側山折り可能線２８と、の間に第１係止本体部２９が形成されている。第１係止本体部２９には、第３横長平面部１１の左端に矩形状の切欠き３０が形成されており、第１係止本体部２９を通過する第２山折り線７は谷折り可能に形成されている。
【００２３】
また、第１係止部２６には、第１係止本体部２９から右方に延出するように第１折り返し部３１が形成されており、この第１折り返し部３１は、上側山折り可能線２７及び下側山折り可能線２８の各延長線上に形成される上下一対の切り込み横線３２ａ，３２ｂと、上下一対の切り込み横線３２ａ，３２ｂの右端部同士を結ぶように形成された切り込み縦線３２ｃと、によりコの字状を成している。第１折り返し部３１には、第１係止本体部２９との境で第２山折り線７に対して直角に交差するように谷折り可能線３３が形成されており、この交差部には、円形の小孔３４が形成されている。また、第１折り返し部３１の右端下側には、第１係止本体部２９の切欠き３０に対応した位置に、台形状の切り込み片３５が形成されており、切り込み片３５の基部には谷折り縦線３６が形成されている。
【００２４】
第２横長平面部１０及び第３横長平面部１１の右端部には、第１係止部２６より大きなサイズの第２係止部３７が形成されている。第２係止部３７には、第２横長平面部１０の右端から第１山折り線６に平行に形成される上側山折り可能線３８と、第３横長平面部１１の右端から第３山折り線８に平行に形成される下側山折り可能線３９と、の間に第２係止本体部４０が形成されている。第２係止本体部４０には、第３横長平面部１１の右端に矩形状の切欠き４１が形成されており、第２係止本体部４０の中間には、上側山折り可能線３８と下側山折り可能線３９に平行に谷折り可能線４２が形成されている。
【００２５】
また、第２係止部３７には、第２係止本体部４０から左方に延出するように第２折り返し部４３が形成されており、この第２折りかえし部４３は、上側山折り可能線３８及び下側山折り可能線３９の各延長線上に形成される上下一対の切り込み横線４４ａ，４４ｂと、上下一対の切り込み横線４４ａ，４４ｂの左端部同士を結ぶように形成された切り込み縦線４４ｃと、により逆コの字状を成している。第２折り返し部４３には、第２係止本体部４０の谷折り可能線４２の延長線上に折り線４５が形成されている。また、第２折り返し部４３には、第２係止本体部４０との境で折り線４５及び第２係止本体部４０の谷折り可能線４２に対して直角に交差するように谷折り可能線４６が形成されており、この交差部には、円形の小孔４７が形成されている。さらに、第２折り返し部４３の左端下側には、第２係止本体部４０の切欠き４１に対応した位置に、台形状の切り込み片４８が形成されており、切り込み片４８の基部には谷折り縦線４９が形成されている。
【００２６】
第１〜第４横長平面部９，１０，１１，１２のうちの最も下端側の第４横長平面部１２の下方には、第３山折り線８に平行な山折り線５０を境に重合片５１が第４横長平面部１２に隣接して形成されており、重合片５１の左右両側には、第４横長平面部１２から下方に延出するように張り出し片部５２ａ，５２ｂがそれぞれ形成されている。また、山折り線５０には、重合片５１の上辺部から第４横長平面部１２に掛けて、張り出し片部５３ａ，５３ｂが左右並列に形成されており、各張り出し片部５３ａ，５３ｂは、それぞれ、山折り線５０に対して直角に交差すると共に互いに対向するように形成される左右一対の切り込み縦線５４ａ，５４ｂと、左右一対の切り込み縦線５４ａ，５４ｂの上端部同士を結ぶように形成される切り込み横線５４ｃと、により逆Ｕ字形状を成している。
【００２７】
重合片５１は、横長矩形状を成し、第１〜第４横長平面部９，１０，１１，１２より左右の長さが短くなっており、重合片５１の下方には山折り線５５を境に横長形状の押し片５６が開口部１９に対応する位置に形成されている。
【００２８】
押し片５６は、開口部１９の横長孔２０に対応するように形成される扁平な矩形状の横長片部５７と、開口部１９の左右の切欠部２１ａ，２１ｂに対応するように横長片部５７の左右両側にそれぞれ突設される半円形状の突片５８ａ，５８ｂと、横長片部５７の上辺部の左右対称な位置であって開口部１９の指逃げ孔２２ａ，２２ｂに対応する位置にそれぞれ形成される半円形状の指掛け孔５９ａ，５９ｂと、を備えて構成されており、左右の突片５８ａ，５８ｂはそれぞれ開口部１９の左右の係止突部２３ａ，２３ｂより左右外側に突出するように形成されている。また、左右の突片５８ａ，５８ｂの直径は横長片部５７の高さより短く、突片５８ａ，５８ｂの上部にはそれぞれ係止凹部６０ａ，６０ｂが形成され、係止凹部６０ａ，６０ｂは係止突部２３ａ，２３ｂに嵌合可能となっている。
【００２９】
このような構成を備えた厚紙１から本発明の実施に係る梱包材を組み立てるには、まず、第１係止部２６において、第１折り返し部３１を谷折り可能線３３に沿って第１係止本体部２９と重なるように谷折りして折り返した上で、切り込み片３５を谷折り縦線３６に沿って谷折りして切欠き３０に係止し、第１折り返し部３１と第１係止本体部２９との重合状態を保持する。また、第２係止部３７においても第１係止部２６同様に、第２折り返し部４３を谷折り可能線４６に沿って第２係止本体部４０と重なるように谷折りして折り返した上で、切り込み片４８を谷折り縦線４９に沿って谷折りして切欠き４１に係止し、第２折り返し部４３と第２係止本体部４０との重合状態を保持する。
【００３０】
次に、前記梱包物を厚紙１の上の所定位置に載置した上で、厚紙１を、第１〜第３山折り線６，７，８、山折り線５０に沿って山折りすると、張り出し片部５２ａ，５２ｂが第１横長平面部９の上端面に当接し、第１横長平面部９に重合片５１が重合し、厚紙１は矩形筒状に折り曲げられる。また、この時、第１折り返し部３１が第１係止本体部２９に重合した状態の第１係止部２６と第２折り返し部４３が第２係止本体部４０に重合した状態の第２係止部３７とをそれぞれ第２山折り線７及び谷折り可能線４２に沿って谷折りすることにより、第１係止部２６及び第２係止部３７を前記梱包物の両端部に係止させ、梱包材の内部における前記梱包物の移動を規制する。
【００３１】
このように第１横長平面部９に重合片５１を重合させると、押し片５６が開口部１９上に位置するため、この状態で押し片５６を押圧すると、押し片５６は内側に折り曲げられ、開口部１９に押し込まれる。これにより、左右の突片５８ａ，５８ｂが左右の係止突部２３ａ，２３ｂより左右外側に突出するように形成されていると共に係止突部２３ａ，２３ｂが係止凹部６０ａ，６０ｂに嵌合可能に形成されているため、突片５８ａ，５８ｂの端面は係止突部２３ａ，２３ｂの裏面に係止し、さらに、押え片２４が押し片５６の外面に当接し、梱包材の矩形筒状に折り曲げられた状態はしっかりと保持される。
【００３２】
一方、上記したように本発明の実施の形態に係る梱包材によって前記梱包物が梱包された状態において、押し片５６の指掛け孔５９ａ，５９ｂに指を挿入し、重合片５１を外側に持ち上げると、突片５８ａ，５８ｂが切欠部２１ａ，２１ｂの外周部に係止した状態及び押え片２４が押し片の外面に当接した状態が解除され、梱包材の梱包状態を解くことができる。この時、指掛け孔５９ａ，５９ｂに対応した位置に指逃げ孔２２ａ，２２ｂが設けられているため、重合片５１の持ち上げ動作を円滑且つ容易に行うことができる。
【００３３】
上記した本発明の実施の形態に係る梱包材によれば、押し片５６を押圧するという１ステップの作業で、梱包材の梱包状態を保持することができるため、作業性を高めることができ、梱包作業の機械化を図ることも可能となる。また、梱包状態を解く際にも、重合片５１を指で持ち上げる動作だけで行うことができるため、梱包物の開閉作業の簡素化を図ることができる。
【００３４】
また、意に反して、重合片５１に沿って梱包状態を解く方向に力が働いたとしても、突片５８ａ，５８ｂの端面が係止突部２３ａ，２３ｂに係止するため、梱包状態が簡単に解かれることはない。
【００３５】
さらに、第１及び第２係止部２６，３７は第１及び第２係止本体部２９，４０に第１及び第２折り返し部３１，４３を折り重ねて形成されており、十分な強度を有しているため、壊れ難い梱包材を提供することができる。
【００３６】
さらにまた、山折り線や谷折り線の随所に、張り出し片部１３ａ，１３ｂ，１５ａ，１５ｂ，１７ａ，１７ｂ，１８ａ，１８ｂ，５２ａ，５２ｂ，５３ａ，５３ｂや小孔３４，４７を配置しているため、折り曲げ易く、梱包作業の効率性を高めることができると共に、折り曲げ時に張り出し片部１３ａ，１３ｂ，１５ａ，１５ｂ，１７ａ，１７ｂ，１８ａ，１８ｂ，５２ａ，５２ｂ，５３ａ，５３ｂが外側に延出して緩衝材として機能するため、外部の衝撃から梱包物を確実に保護することができる。
【００３７】
なお、上記した実施の形態では、梱包物の上面側に形成された凹部に対応するように、開口部１９を第１横長平面部９の中央に設けた場合について説明したが、本発明はこの場合に限定されるものではなく、梱包物の凹部の位置や形状に合わせて、開口部１９を第１横長平面部９の中央から外れた位置に設けても良い。また、梱包材と梱包物との間に僅かな隙間があれば、押し片５６を開口部１９に押し込むことができるため、本発明に係る梱包材は外面に凹部のない梱包物を梱包する場合にも適用可能である。
【００３８】
なお、上記した本発明の実施の形態の説明は、本発明に係る梱包材における好適な実施の形態を説明しているため、形状や位置等において、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３９】
１  厚紙
６，７，８  山折り線
９，１０，１１，１２  第１〜第４横長平面部
１９  開口部
２２ａ，２２ｂ  指逃げ孔
２３ａ，２３ｂ  係止突部
２４  押え片
５０  山折り線
５１  重合片
５５  山折り線（折曲げ線）
５６  押し片
５８ａ，５８ｂ  突片
５９ａ，５９ｂ  指掛け孔
【図１】
0005675576.tif 000002
【図２】
0005675576.tif 000003